(57)【要約】【課題】読取った原稿の画像ファイルを予め登録されたネットワーク上の装置に転送する画像読取装置において、画像ファイルを転送する際にアクセスエラーが発生するのを未然に防止することができる画像読取装置を提供すること。【解決手段】本発明の画像読取装置１は、ネットワーク上のフォルダの位置情報とユーザの認証情報の入力を受付ける受付手段と、入力された前記位置情報のフォルダを検索する検索手段と、該手段により前記位置情報のフォルダを検出できた場合に、入力された前記認証情報を提示して認証手続きを行う認証手段と、前記認証手続きに成功した場合に、入力された前記位置情報及び前記認証情報を、原稿の読取画像ファイルの転送先フォルダの位置情報及び該フォルダにアクセスする際に提示する認証情報を指定するショートカット情報として登録する登録手段と、を備える。【選択図】      図１
2006140763.tif 000002
【特許請求の範囲】
【請求項１】
ネットワーク上のフォルダの位置情報とユーザの認証情報の入力を受付ける受付手段と、入力された前記位置情報のフォルダを検索する検索手段と、該手段により前記位置情報のフォルダを検出できた場合に、入力された前記認証情報を提示して認証手続きを行う認証手段と、前記認証手続きに成功した場合に、入力された前記位置情報及び前記認証情報を、原稿の読取画像ファイルの転送先フォルダの位置情報及び該フォルダにアクセスする際に提示する認証情報を指定するショートカット情報として登録する登録手段と、を備えることを特徴とする画像読取装置。
【請求項２】
登録された前記ショートカット情報の選択により原稿の読取画像ファイルの転送先フォルダの位置情報及び認証情報が指定され、原稿の読取転送開始命令があったとき、指定された前記位置情報のフォルダを再度検索して検出することができ、且つ指定された前記認証情報を提示して再度認証手続きに成功した場合に限り、前記原稿の読取動作を開始する読取動作開始手段を更に備えることを特徴とする請求項１記載の画像読取装置。
【請求項３】
ネットワーク上のフォルダの位置情報の入力を受付ける受付手段と、入力された前記位置情報のフォルダにアクセスしてそのフォルダの属性が書込み許可であるか否かを判断する判断手段と、該手段により書込み許可になっていると判断した場合に、入力された前記位置情報を、原稿の読取画像ファイルの転送先フォルダの位置情報を指定するショートカット情報として登録する登録手段と、を備えることを特徴とする画像読取装置。
【請求項４】
ネットワーク上の共有フォルダを検索してそのリストを取得する取得手段と、取得した前記リストにあるフォルダにアクセスしてそのフォルダの属性が書込み許可であるか否かを判断する判断手段と、該手段により書込み許可になっていると判断したフォルダを表示する表示手段と、表示された前記フォルダの中からいずれかのフォルダの選択を受付ける受付手段と、前記受付手段が選択を受付けたフォルダの位置情報を、原稿の読取画像ファイルの転送先フォルダの位置情報を指定するショートカット情報として登録する登録手段と、を備えることを特徴とする画像読取装置。
【請求項５】
登録された前記ショートカット情報の選択により原稿の読取画像ファイルの転送先フォルダの位置情報が指定され、原稿の読取転送開始命令があったとき、指定された前記位置情報のフォルダに再度アクセスしてそのフォルダの属性が書込み許可になっていると判断できた場合に限り、前記原稿の読取動作を開始する読取動作開始手段を更に備えることを特徴とする請求項３又は４記載の画像読取装置。
【発明の詳細な説明】
【技術分野】
【０００１】
本発明は、画像読取装置に関し、詳しくは、読取った原稿の画像データをネットワーク上の装置に転送する通信機能を備えた画像読取装置に関する。
【背景技術】
【０００２】
原稿の画像データを読取る画像読取装置の中には、原稿から読取った画像ファイルをＬＡＮ（Local Area Network）等のネットワーク上に設置されたサーバが備えるフォルダに転送して保存する機能を備えたものがある（例えば、特許文献１参照。）。
【０００３】
特許文献１に開示されている画像読取装置は、原稿を読取って得た画像ファイルを外部装置に送信する際に、ＳＭＢ（Server Message Block protocol）共有フォルダを有するサーバにも送信することで、外部装置に送信した画像ファイルを前記サーバが備えるＳＭＢ共有フォルダに保存することができる。
【０００４】
特許文献１に開示されているような従来の画像読取装置が画像ファイルを転送する転送先のコンピュータ名やフォルダ名の指定は、画像読取装置において原稿の読取りを行う度にユーザの操作により行われる。よって、転送先のコンピュータ名やフォルダ名を、画像読取装置に予め登録しておけば、原稿の読取りを行わせる度にそれらを入力するための面倒な操作を行うことなく、転送先のコンピュータ名やフォルダ名を容易に指定することができる。また、転送先のフォルダにアクセスするために必要なユーザＩＤ（Identification）とパスワードも、併せて登録できるようになっている。そのため、ユーザは、コンピュータ名、フォルダ名、ユーザＩＤ、及びパスワードを操作パネルから入力するといった面倒な操作を原稿の読取りの度に行う必要はなく、非常に簡単な操作で読取った原稿の画像ファイルを転送先のフォルダに転送させることができる。
【特許文献１】特開２００２−２９７４６７号公報
【発明の開示】
【発明が解決しようとする課題】
【０００５】
しかしながら、登録操作時の入力ミスなどによりコンピュータ名、フォルダ名、ユーザＩＤ、及びパスワードのうち、いずれか１つでも間違った情報が登録された場合には、転送先のフォルダにアクセスした際にアクセスエラーが発生し、原稿の読取りを行ったにも関わらずその原稿の画像ファイルを転送することができないという問題があった。
【０００６】
また、ユーザＩＤやパスワード等が正しい情報で登録されているとしても、転送先のフォルダが共有フォルダとして設定されていない場合や、転送先のフォルダの属性が書込み禁止に設定されている場合にも、上記と同様に原稿の画像ファイルを転送することができないという問題があった。
【０００７】
本発明は、かかる課題に鑑みてなされたものであり、読取った原稿の画像ファイルを予め登録されたネットワーク上の装置に転送する画像読取装置において、画像ファイルを転送する際にアクセスエラーが発生するのを未然に防止することができる画像読取装置を提供することを目的とする。
【課題を解決するための手段】
【０００８】
上記目的を達成するために、請求項１記載の画像読取装置は、ネットワーク上のフォルダの位置情報とユーザの認証情報の入力を受付ける受付手段と、入力された前記位置情報のフォルダを検索する検索手段と、該手段により前記位置情報のフォルダを検出できた場合に、入力された前記認証情報を提示して認証手続きを行う認証手段と、前記認証手続きに成功した場合に、入力された前記位置情報及び前記認証情報を、原稿の読取画像ファイルの転送先フォルダの位置情報及び該フォルダにアクセスする際に提示する認証情報を指定するショートカット情報として登録する登録手段と、を備えることを特徴としている。
【０００９】
請求項２記載の画像読取装置は、請求項１に記載の画像読取装置において、登録された前記ショートカット情報の選択により原稿の読取画像ファイルの転送先フォルダの位置情報及び認証情報が指定され、原稿の読取転送開始命令があったとき、指定された前記位置情報のフォルダを再度検索して検出することができ、且つ指定された前記認証情報を提示して再度認証手続きに成功した場合に限り、前記原稿の読取動作を開始する読取動作開始手段を更に備えることを特徴としている。
【００１０】
請求項３記載の画像読取装置は、ネットワーク上のフォルダの位置情報の入力を受付ける受付手段と、入力された前記位置情報のフォルダにアクセスしてそのフォルダの属性が書込み許可であるか否かを判断する判断手段と、該手段により書込み許可になっていると判断した場合に、入力された前記位置情報を、原稿の読取画像ファイルの転送先フォルダの位置情報を指定するショートカット情報として登録する登録手段と、を備えることを特徴としている。
【００１１】
請求項４記載の画像読取装置は、ネットワーク上の共有フォルダを検索してそのリストを取得する取得手段と、取得した前記リストにあるフォルダにアクセスしてそのフォルダの属性が書込み許可であるか否かを判断する判断手段と、該手段により書込み許可になっていると判断したフォルダを表示する表示手段と、表示された前記フォルダの中からいずれかのフォルダの選択を受付ける受付手段と、前記受付手段が選択を受付けたフォルダの位置情報を、原稿の読取画像ファイルの転送先フォルダの位置情報を指定するショートカット情報として登録する登録手段と、を備えることを特徴としている。
【００１２】
請求項５記載の画像読取装置は、請求項３又は４に記載の画像読取装置において、登録された前記ショートカット情報の選択により原稿の読取画像ファイルの転送先フォルダの位置情報が指定され、原稿の読取転送開始命令があったとき、指定された前記位置情報のフォルダに再度アクセスしてそのフォルダの属性が書込み許可になっていると判断できた場合に限り、前記原稿の読取動作を開始する読取動作開始手段を更に備えることを特徴としている。
【発明の効果】
【００１３】
請求項１に記載の画像読取装置によれば、入力された位置情報（コンピュータ名とフォルダ名）のフォルダを検出でき、且つ、入力された認証情報（ユーザＩＤとパスワード）による認証手続きに成功した場合に限り、転送先フォルダの位置情報及び認証情報が登録されるので、それらの情報が間違った情報で登録されることがないという利点がある。そのため、読取画像ファイルを転送する際にアクセスエラーが発生するのを未然に防止することができ、無駄な原稿の読取動作が行われるのを防止することができる。また、原稿の読取画像ファイルの転送先フォルダの位置情報及び該フォルダにアクセスする際に提示する認証情報を指定するショートカット情報を登録するので、読取画像ファイルを転送する際に転送先フォルダに素早くアクセスすることができる。
【００１４】
請求項２に記載の画像読取装置によれば、請求項１に記載の画像読取装置の効果に加えて、転送先フォルダの位置情報及び認証情報が登録された後に、万一、登録された転送先フォルダのフォルダ名が変更されたり、登録された転送先フォルダの場所が移動されたとしても、読取画像ファイルを転送する際にアクセスエラーが発生するのを未然に防止することができ、無駄な原稿の読取動作が行われるのを防止することができる。
【００１５】
請求項３に記載の画像読取装置によれば、入力された位置情報のフォルダにアクセスしてそのフォルダの属性が書込み許可になっている場合に限り、転送先フォルダの位置情報が登録されるので、読取画像ファイルを書込むことができないフォルダが転送先フォルダとして登録されることがないという利点がある。そのため、読取画像ファイルを転送する際にアクセスエラーが発生するのを未然に防止することができ、無駄な原稿の読取動作が行われるのを防止することができる。また、原稿の読取画像ファイルの転送先フォルダの位置情報を指定するショートカット情報を登録するので、読取画像ファイルを転送する際に転送先フォルダに素早くアクセスすることができる。
【００１６】
請求項４に記載の画像読取装置によれば、ユーザは、属性が書き込み許可になっているフォルダの中から転送先フォルダを選択することができるので、読取画像ファイルを書込むことができないフォルダが転送先フォルダとして登録されることがないという利点がある。そのため、読取画像ファイルを転送する際にアクセスエラーが発生するのを未然に防止することができ、無駄な原稿の読取動作が行われるのを防止することができる。また、原稿の読取画像ファイルの転送先フォルダの位置情報を指定するショートカット情報を登録するので、画像ファイルを転送する際に転送先フォルダに素早くアクセスすることができる。また、ユーザは、表示手段により表示されたフォルダの中から転送先フォルダを選択することができるので、コンピュータ名やフォルダ名を１文字ずつ入力するといった面倒な操作を行うことなく転送先フォルダを容易に指定することができる。
【００１７】
請求項５に記載の画像読取装置によれば、請求項３又は４に記載の画像読取装置の効果に加えて、転送先フォルダの位置情報が登録された後に、万一、登録された転送先フォルダの属性が書込み禁止に設定変更されたとしても、原稿の読取画像ファイルを転送する際にアクセスエラーが発生するのを原稿の読取動作の開始前に防止することができる。
【発明を実施するための最良の形態】
【００１８】
以下、本発明の実施の形態に係る画像読取装置について、図面に基づき説明する。この画像読取装置１は、図１に示すように、制御部（ＭＰＵ：Microprocessing Unit）２、原稿読取部３、コーデック（ＣＯＤＥＣ：Coder and Decoder）４、画像メモリ５、記録部６、操作部７、表示部８、通信部９、ＬＡＮ Ｉ／Ｆ（Local Area Network Interface）１０、ＲＯＭ（Read Only Memory）１１、及びＲＡＭ（Random Access Memory）１２を備えたものであって、各部２乃至１２は、バス１３によって通信可能に接続されている。
【００１９】
制御部２は、この画像読取装置１を構成する各部を制御する。原稿読取部３は、原稿の画像データを読取るものであり、図示しないがＣＣＤ（Charge Coupled Device）等のイメージセンサや光源等の光学系を具備するフラット・ベッド・スキャナ（ＦＢＳ：Flat Bed Scanner）、自動原稿給送装置（ＡＤＦ：Automatic Document Feeder）等を有して構成されている。
【００２０】
コーデック４は、コピーやファクシミリ送受信などのために画像データを符号化及び復号するものである。すなわち、原稿読取部３で原稿から読取られた画像データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、ファクシミリ受信した画像データなどを復号する。また、コンピュータで一般的に使用される画像フォーマットであるＴＩＦＦ（Tagged Image File Format）形式やＰＤＦ（Portable Document Format）形式にも対応して画データを符号化、又は復号する。
【００２１】
画像メモリ５は、原稿読取部３で原稿から読取られた画像データ、原稿読取部３で原稿から読取られた後にコーデック４において符号化された画像データ、ファクシミリ受信した画像データなどを格納する。記録部６は、画像メモリ５から読み出された画像データの画像を用紙に記録するものである。この記録部６における記録方式としては、例えば、電子写真方式を用いることができる。
【００２２】
操作部７は、図示しないが、原稿読取部３に原稿の読取動作の開始を指示するためのスタートキー、ファクシミリ番号やコピー部数等を入力するためのテンキー、予め登録されたファクシミリ番号などを指定するためのワンタッチキー、各種設定を行うためのカーソルキーなど、表示部８と連動した各種操作キーを備えている。表示部８は、各種の設定状態や自装置１の動作状態などを文字や図形などで表示する液晶表示装置（ＬＣＤ：Liquid Crystal Display）１５や、点灯又は消灯で表示するＬＥＤランプ１６などを備えている。なお、液晶表示装置１５は、いわゆるタッチパネル式のものであり、操作部７に代えてこの液晶表示装置１５の画面をユーザが指等で触れることにより各種の操作を行うこともできる。
【００２３】
通信部９は、図示しないが、モデム及びＮＣＵ（Network Control Unit）を備えている。モデムは、例えばＩＴＵ−Ｔ（国際電気通信連合電気通信標準化部門）の勧告Ｖ．３４規格又はこれと同様のものに従った送受信データの変調及び復調を行うものである。ＮＣＵは、電話回線を制御して電話をかけたり、切ったりする回線網制御装置であり、ＰＳＴＮ（Public Switched Telephone Network）１７に接続されている。
【００２４】
ＬＡＮ Ｉ／Ｆ１０は、ＬＡＮ（Local Area Network）１８と画像読取装置１とを通信可能に接続するインターフェースである。ＬＡＮ１８には、画像読取装置１が原稿を読取って得た画像ファイル（以下、「読取画像ファイル」という。）を保存するサーバ（Server）１９と、クライアントＰＣ２０と、が設置されており、クライアントＰＣ２０から画像読取装置１が有する各種機能を利用することができるようになっている。ＲＯＭ１１は、制御部２によって画像読取装置１の各部が制御されるための制御プログラムを格納している。ＲＡＭ１２は、制御部２の主メモリ、ワークエリア等として機能し、予め登録されたファクシミリ番号や読取画像ファイルが保存されるサーバ１９の転送先フォルダに関する情報などの各種設定情報を格納している。
【００２５】
以上説明した構成からなる画像読取装置１は、原稿読取部３で読取った原稿の画像データの画像を用紙に記録するコピー機能、原稿の画像データをファクシミリ通信により送受信するファクシミリ送受信機能の他に、原稿の読取画像ファイルを予め登録されたネットワーク（ここでは、ＬＡＮ１８）上の装置（例えば、サーバ１９）に転送して保存する機能を備えている。なお、画像読取装置１が転送した読取画像ファイルを保存することができる装置は、サーバ１９に限定されるものではなく、例えばクライアントＰＣ２０でも保存することが可能であるが、本実施形態においては、サーバ１９に画像読取装置１が転送した原稿の読取画像ファイルが保存される場合について主に説明する。
【００２６】
読取画像ファイルの転送先の装置であるサーバ１９は、ＳＭＢ（Server Message Block）プロトコル又はＦＴＰ（File Transfer Protocol）プロトコルにより読取画像ファイル等の各種データをＬＡＮ１８上の他の装置との間で送信又は受信することが可能な装置であり、画像読取装置１から転送された原稿の読取画像ファイルを格納する転送先フォルダ（共有フォルダ）を備えている。画像読取装置１は、原稿読取部３で読取った原稿の画像データをファイル化して得た読取画像ファイルを予め登録されたネットワーク上のサーバ１９にある転送先フォルダに転送して保存することができる。
【００２７】
画像読取装置１において、原稿の読取画像ファイルの転送先フォルダは、原稿読取部３が原稿を読取る度にユーザが指定することも当然可能であるが、ユーザは、読取画像ファイルを転送先フォルダに転送するために必要な情報を、例えば操作部７が備えるワンタッチキー等に関連付けて予め画像読取装置１に登録させておくことにより、そのワンタッチキーを押下するだけで容易に転送先フォルダを指定することができる。
【００２８】
図２の転送先設定画面２２は、ユーザにより読取画像ファイルの転送先フォルダを予め登録しておくための所定操作が操作部７から行われた場合に、液晶表示装置１５に表示される表示画面の一例を示したものである。この転送先設定画面２２には、ここでは、転送先フォルダを登録するために必要な情報の入力を促すメッセージと、ユーザによって入力された前記必要な情報の一覧、必要な情報のうち、いずれの情報を入力するかを選択するための入力キーを示す選択ボタン２３、ユーザによって入力された情報を決定するための入力キーを示すセットボタン２４等を含む情報が表示される。
【００２９】
ここで、転送先フォルダを登録するために必要な情報とは、ネットワーク（ＬＡＮ１８）上のフォルダ（転送先フォルダ）の位置情報とユーザの認証情報である。位置情報は、具体的には、転送先フォルダを備える装置の名称であるコンピュータ名及び転送先フォルダの名称であるフォルダ名であり、ユーザの認証情報は、ユーザを識別するためのユーザＩＤ及びユーザＩＤと組合わせて使用されるパスワードである。
【００３０】
ユーザは、転送先設定画面２２が表示された状態で、選択ボタン２３に指等で触れるか又は選択ボタン２３に対応する操作部７の操作キーを操作していずれの情報を入力するかを選択し、操作部７の操作キーを操作して各情報を全て入力した後、セットボタン２４に指等で触れるか又はセットボタン２４に対応する操作部７の操作キーを操作することにより、転送先フォルダを登録するために必要なコンピュータ名、フォルダ名、ユーザＩＤ、及びパスワードを入力することができる。表示部８の液晶表示装置１５及び操作部７は、このようにしてユーザによって入力されたネットワーク上のフォルダの位置情報とユーザの認証情報の入力を受付ける。なお、画像読取装置１と通信可能に接続されたフォルダを液晶表示装置１５に一覧表示し、ユーザがコンピュータ名及びフォルダ名を操作キーを操作して入力することなく、表示画面から選択できるようにしてもよい。
【００３１】
以下、上記の転送先設定画面２２に従ってユーザによりコンピュータ名、フォルダ名、ユーザＩＤ、及びパスワードが入力された場合に、画像読取装置１において行われる処理動作について、図３に示すフローチャートに基づいて説明する。なお、図３以降のフローチャートに基づいて説明する画像読取装置１の処理動作は、ＲＯＭ１１に格納されている制御プログラムに基づいて制御部２が発行する命令に従って行われる。
【００３２】
まず、制御部２は、転送先フォルダに指定されるフォルダの位置情報（コンピュータ名及びフォルダ名）とユーザの認証情報（ユーザＩＤ及びパスワード）の入力を促す情報を報知する（Ｓ１）。具体的には、コンピュータ名、フォルダ名、ユーザＩＤ、及びパスワードの入力を促すための転送先設定画面２２を液晶表示装置１５に表示させる。これに対し、ユーザは、タッチパネル式の液晶表示装置１５と操作部７の操作キーを用いてこれらの情報を入力することができる。
【００３３】
続いて、制御部２は、フォルダの位置情報とユーザの認証情報が入力されたか否かを判断する（Ｓ２）。ここで、位置情報と認証情報が入力されたと判断した場合（Ｓ２：ＹＥＳ）、入力されたフォルダの位置情報とユーザの認証情報を読込み（Ｓ３）、ＲＡＭ１２に格納する。そして、ユーザによって入力された位置情報により特定されるフォルダに現在アクセス中であるか否かを判断する（Ｓ４）。ここで、入力された位置情報のフォルダにアクセス中ではないと判断した場合（Ｓ４：ＮＯ）、入力された位置情報のフォルダを検索する（Ｓ５）。
【００３４】
次に、制御部２は、位置情報のフォルダを検出できたか否かを判断する（Ｓ６）。ここで、位置情報のフォルダを検出できなかった場合（Ｓ６：ＮＯ）、フォルダを検出できなかった原因を報知する（Ｓ７）。ここで、フォルダを検出できない場合としては、転送先設定画面２２に従ってユーザによって入力されたコンピュータ名の装置が存在しない場合や、入力されたコンピュータ名の装置は存在するが入力されたフォルダ名の転送先フォルダがその装置内にない場合などが挙げられる。そのため、制御部２は、このＳ７において、例えば「コンピュータ名が間違っています」や「フォルダ名が間違っています」などのメッセージを液晶表示装置１５に表示させて入力された位置情報のフォルダを検出できなかった原因を報知する。
【００３５】
上記のことからも明らかなように、ユーザによって入力されたコンピュータ名及びフォルダ名のうち、いずれか一方でも間違ったまま転送先フォルダが登録された場合、読取画像ファイルを転送先フォルダ（例えば、サーバ１９の転送先フォルダ）に転送する際にアクセスエラーが発生し、読取画像ファイルを転送することができないとうい問題が生じる。そのため、制御部２は、Ｓ７の処理動作を行った後、例えば「コンピュータ名を再入力して下さい」や「フォルダ名を再入力して下さい」等のメッセージを液晶表示装置１５に表示させるなどして、登録操作のやり直しを促す情報を報知する（Ｓ８）。
【００３６】
制御部２は、このようにしてＳ８の処理動作を行った場合、前記Ｓ１以降の処理動作を再度実行する。この場合、図２に例示した転送先設定画面２２が液晶表示装置１５に再度表示されるが、その際、ユーザによって入力された情報のうち、間違っていない情報はそのまま表示し、Ｓ７及びＳ８において報知された情報に基づいて、ユーザが間違って入力した情報のみ再入力できるようにすると、ユーザが登録操作を始めからやり直す必要がないため、好適である。
【００３７】
一方、制御部２は、入力された位置情報のフォルダを検出できた場合には（Ｓ６：ＹＥＳ）、入力された認証情報を提示して認証手続きを行う（Ｓ９）。そして、認証手続きに成功したか否かを判断する（Ｓ１０）。ここで、認証手続きに成功しなかったと判断した場合（Ｓ１０：ＮＯ）、認証手続きに失敗した原因を報知する（Ｓ１１）。ここで、認証手続きに失敗する場合としては、転送先設定画面２２に従ってユーザによって入力されたユーザＩＤ及びパスワードのうち、いずれか一方でも間違っている場合である。そのため、制御部２は、このＳ１１において、例えば「ユーザＩＤが間違っています」や「パスワードが間違っています」などのメッセージを液晶表示装置１５に表示させて認証手続きに失敗した原因を報知する。
【００３８】
ところで、ユーザによって入力されたユーザＩＤ及びパスワードのうち、いずれか一方でも間違ったまま登録された場合、Ｓ６で「ＮＯ」と判断した場合と同様に読取画像ファイルを転送先フォルダに転送する際にアクセスエラーが発生し、読取画像ファイルを転送することができないとうい問題が生じる。そのため、制御部２は、Ｓ１１の処理動作を行った後、例えば「ユーザＩＤを再入力して下さい」や「パスワードを再入力して下さい」等のメッセージを液晶表示装置１５に表示させるなどして、登録操作のやり直しを促す情報を報知する（Ｓ８）。そして、上記の説明と同様に、Ｓ１以降の処理動作を再度行う。
【００３９】
制御部２は、認証手続きに成功した場合には（Ｓ１０：ＹＥＳ）、原稿の読取画像ファイルの転送先フォルダの位置情報及び該フォルダにアクセスする際に提示する認証情報を指定するショートカット情報として、入力された位置情報及び認証情報を登録する（Ｓ１２）。具体的には、ユーザによって入力されたフォルダの位置情報及びユーザの認証情報に基づいて、指定された転送先フォルダへ直接アクセスするためのリンク情報及び識別情報が記載されたファイル（ショートカット情報）を作成し、ＲＡＭ１２に格納する。
【００４０】
以上説明したように、制御部２は、入力された位置情報のフォルダを検出できなかった場合、及び認証手続きに失敗した場合に、その原因及び登録操作のやり直しを促す情報を報知し、転送先フォルダのショートカット情報の登録を完了させないように制御するため、転送先フォルダにアクセスするために必要なフォルダの位置情報とユーザの認証情報が間違った情報で登録されるのを防止することができる。
【００４１】
また、ユーザによる位置情報の入力により指定された転送先フォルダへのアクセスが可能な場合に限り、転送先フォルダに直接アクセスするためのショートカット情報が登録されるので、実際に原稿の読取りを行って読取画像ファイルを転送する際に、アクセスエラーが発生して読取画像ファイルを転送することができないといった問題が生じるのを未然に防止することができる。
【００４２】
また、このようにして転送先フォルダのショートカット情報を登録する際に、例えば操作部７のワンタッチキー等にショートカット情報を関連付けて登録させるようにすれば、ユーザは、読取画像ファイルを転送先フォルダに転送する際に、転送先フォルダを容易に指定することができる。また、複数のユーザが登録操作を行って転送先フォルダを複数登録することも当然可能である。
【００４３】
以下、上記のようにショートカット情報として、ユーザによって入力された位置情報及び認証情報が登録された状態で、原稿読取部３に原稿がセットされて原稿の読取転送開始命令があった場合に、画像読取装置１において行われる処理動作について、図４に示すフローチャートに基づいて説明する。
【００４４】
制御部２は、まず、操作部７（又は液晶表示装置１５）からの所定操作の有無に基づいて、予め登録されている転送先フォルダのショートカット情報が選択されたか否かを判断する（Ｓ２１）。すなわち、登録されたショートカット情報の選択により、原稿の読取画像ファイルの転送先フォルダの位置情報及び認証情報が指定されたか否かを判断する。そして、ショートカット情報が選択されたと判断した場合（Ｓ２１：ＹＥＳ）、原稿読取部３に原稿がセットされて操作部７のスタートキーが押下されたか否かに基づいて、原稿の読取転送開始命令があったか否かを判断する（Ｓ２２）。ここで、原稿の読取転送開始命令があったと判断した場合（Ｓ２２：ＹＥＳ）、選択されたショートカット情報により指定された位置情報のフォルダを検索する（Ｓ２３）。
【００４５】
次に、制御部２は、指定された位置情報のフォルダを検出できたか否かを判断し（Ｓ２４）、フォルダを検出できなかったと判断した場合（Ｓ２４：ＮＯ）、転送先フォルダを検出できなかった旨の情報を報知して原稿の読取動作を禁止する。具体的には、例えば、「転送先フォルダが見つかりません」等のメッセージを液晶表示装置１５に表示させるとともに、原稿読取部３に原稿の読取動作を開始させないように制御する。ユーザは、液晶表示装置１５に表示された上記のようなメッセージを見て、転送先フォルダのショートカット情報の登録後に、例えば、転送先フォルダが移動されたり、転送先フォルダのフォルダ名が変更されたりして、転送先フォルダに変更が加えられたことを認識することができる。
【００４６】
一方、制御部２は、指定された位置情報のフォルダを検出できたと判断した場合（Ｓ２４：ＹＥＳ）、選択されたショートカット情報により指定された認証情報を提示して認証手続きを行う（Ｓ２６）。具体的には、指定されたショートカット情報を転送先フォルダを備える装置に転送する。そして、転送先フォルダを備える装置から転送先フォルダの使用を許可する旨の情報を受信したか否かに基づいて、認証手続きに成功したか否かを判断する（Ｓ２７）。ここで、認証手続きに成功しなかったと判断した場合（Ｓ２７：ＮＯ）、認証情報が変更されている旨の情報を報知して原稿の読取動作を禁止する（Ｓ２８）。
【００４７】
制御部２は、逆に認証手続きに成功したと判断した場合（Ｓ２７：ＹＥＳ）、原稿読取部３に原稿の読取動作を開始させる（Ｓ２９）。これに対し、原稿読取部３は、予めセットされている原稿の画像データを読取り、コーデック４は、読取られた原稿の画像データを所定の符号化方式で符号化し、画像メモリ５は、符号化された原稿の画像データを格納する。このようにして、原稿の読取動作が行われた後、制御部２は、原稿の読取動作が完了したか否かを判断する（Ｓ３０）。ここで、原稿の読取動作が完了したと判断した場合（Ｓ３０：ＹＥＳ）、原稿の読取画像ファイルを転送先フォルダに転送する（Ｓ３１）。すなわち、画像メモリ５に格納された原稿の画像データをファイル化した読取画像ファイルを転送先フォルダに転送する。
【００４８】
以上説明したように、制御部２は、登録されたショートカット情報の選択により、原稿の読取画像ファイルの転送先フォルダの位置情報及び認証情報が指定され、原稿の読取転送開始命令があったとき、指定された位置情報のフォルダを登録時と同様に再度検索して検出することができ、且つ指定された認証情報を提示して再度認証手続きに成功した場合に限り、原稿の読取動作を開始する。
【００４９】
したがって、転送先フォルダの位置情報及び認証情報が正しく登録されたにも関わらず、登録後に転送先フォルダに変更が加えられた場合でも、アクセスエラーが発生して、読取画像ファイルを転送できないにも関わらず無駄な原稿の読取動作が行われるのを防止することができる。
【００５０】
ところで、サーバ１９やクライアントＰＣ２０が備えるフォルダ（共有フォルダ）は、外部からの画像ファイルの書込みが許可されている書込み許可属性と、逆に外部からの画像ファイルの書込みが禁止されている書込み禁止属性と、のいずれかにその属性を設定することができるのが一般的である。したがって、書込み禁止属性のフォルダが転送先フォルダとして画像読取装置１に登録された場合、ユーザによって入力されたフォルダの位置情報やユーザの認証情報が間違って登録された場合と同様に、読取画像ファイルの転送開始時にアクセスエラーが発生し、読取画像ファイルを転送することができないという問題が生じる。
【００５１】
以下、上記のように属性を変更可能なフォルダを転送先フォルダとして予め登録する場合に、画像読取装置１において行われる処理動作について、図５に示すフローチャートに基づいて説明する。
【００５２】
制御部２は、図２に例示した転送先設定画面２２を液晶表示装置１５に表示させてフォルダの位置情報とユーザの認証情報の入力を促す情報を報知する（Ｓ４１）。そして、フォルダの位置情報とユーザの認証情報が入力されたか否かを判断する（Ｓ４２）。ここで、フォルダの位置情報とユーザの認証情報が入力されたと判断した場合（Ｓ４２：ＹＥＳ）、入力されたフォルダの位置情報とユーザの認証情報を読込み（Ｓ４３）、ＲＡＭ１２に格納する。
【００５３】
次に、制御部２は、入力された位置情報のフォルダへのアクセスが可能であるか否かを判断する（Ｓ４４）。具体的には、入力された位置情報のフォルダを検出でき、且つ入力された認証情報を提示して認証手続きを行い、該認証手続きに成功したか否かを判断する。ここで、位置情報のフォルダへのアクセスができなかった場合（Ｓ４４：ＮＯ）、アクセスできなかった原因を報知する（Ｓ４５）。そして、登録操作のやり直しを促す情報を報知し（Ｓ４６）、Ｓ４１以降の処理動作を再度行う。なお、ここで、位置情報のフォルダへのアクセスができない場合としては、コンピュータ名、フォルダ名、ユーザＩＤ、及びパスワードのいずれか１つでも間違えて入力された場合であり、Ｓ４５及びＳ４６の処理動作は、上記のＳ７、Ｓ１１、及びＳ８の処理動作とほぼ同様であるため、ここでの詳細な説明は省略する。
【００５４】
一方、制御部２は、入力された位置情報のフォルダへのアクセスが可能であると判断した場合（Ｓ４４：ＹＥＳ）、アクセスした転送先フォルダを備える装置からフォルダの属性情報を取得する（Ｓ４７）。そして、取得したフォルダの属性情報から、入力された位置情報のフォルダの属性が書込み許可であるか否かを判断する（Ｓ４８）。すなわち、入力された位置情報のフォルダにアクセスしてそのフォルダの属性が書込み許可であるか否かを判断する。ここで、入力された位置情報のフォルダの属性が書込み許可ではないと判断した場合（Ｓ４８：ＮＯ）、例えば「指定されたフォルダには画像ファイルを転送できません」等のメッセージを液晶表示装置１５に表示させてフォルダの属性が書込み禁止である旨の情報を報知し（Ｓ４９）、Ｓ４６以降の処理動作を行う。
【００５５】
制御部２は、逆にフォルダの属性が書込み許可になっていると判断した場合（Ｓ４８：ＹＥＳ）、Ｓ１２の処理動作と同様にして、原稿の読取画像ファイルの転送先フォルダの位置情報及び該フォルダにアクセスする際に提示する認証情報を指定するショートカット情報として、入力された位置情報及び認証情報を登録する（Ｓ５０）。
【００５６】
以上説明したように、画像読取装置１は、入力された位置情報のフォルダに正常にアクセスでき、且つそのフォルダの属性が書込み許可になっている場合に限りフォルダの位置情報とユーザの認証情報が登録されるので、属性が書込み禁止になっているフォルダが転送先フォルダとして登録されることはない。したがって、読取画像ファイルを転送する際に、転送先フォルダの属性が書込み禁止になっているための読取画像ファイルを転送することができないといった問題が発生するのを未然に防止することができる。
【００５７】
なお、ここでは、ユーザがフォルダの位置情報とユーザの認証情報を入力して登録操作を行う場合について説明したが、転送先フォルダを登録するために認証情報が不要な場合には、認証手続きを行うことなく、図５のフローチャートに示す処理動作を行うようにすればよい。その場合、制御部２は、ユーザによって入力された位置情報のフォルダにアクセスしてそのフォルダの属性が書込み許可になっていると判断した場合に、原稿の読取画像ファイルの転送先フォルダの位置情報を指定するショートカット情報として、入力された位置情報を登録するようにすればよい。
【００５８】
ところで、ここまでは、転送先フォルダを登録するために必要な情報を全てユーザが操作部７の操作キー等を用いて入力する場合について説明したが、書込み許可属性のフォルダを液晶表示装置１５に一覧表示させ、その中からユーザが所望のフォルダを転送先フォルダとして任意に選択できるようにしてもよい。図６（ａ）のフォルダ一覧画面２５は、属性が書込み許可となっているフォルダ（共有フォルダ）を一覧表示した液晶表示装置１５の表示画面を例示した図である。図示するように、転送先フォルダに指定するフォルダの選択を促すメッセージと、画像読取装置１と通信可能に接続されている装置の一覧と、それらの装置が備える書込み許可属性のフォルダのツリー構造と、を含む情報が表示される。
【００５９】
図６（ｂ）は、同図（ａ）に示したフォルダ一覧画面２５の変形例を示したものである。フォルダ一覧画面２５では、書込み許可属性のフォルダのみが一覧表示されていたが、このフォルダ一覧画面２６では、書込み禁止属性のフォルダも表示されている。すなわち、フォルダ一覧画面２５に示すように、書込み禁止属性のフォルダを表示せず書込み許可属性のフォルダのみを一覧表示するか、又はフォルダ一覧画面２６に示すように、アクセスが可能な全てのフォルダを一覧表示してその中に書込み禁止属性のフォルダが含まれている旨の情報を報知するか、のいずれの方法で属性が書込み許可となっているフォルダを表示するようにしてもよい。
【００６０】
以下、図６（ａ）に例示したフォルダ一覧画面２５を液晶表示装置１５に表示させる際に、画像読取装置１において行われる処理動作について、図７に示すフローチャートに基づいて説明する。まず、制御部２は、ネットワーク（ＬＡＮ１８）上の共有フォルダを検索してそのリストを取得する（Ｓ６１）。すなわち、共有フォルダの位置情報のリストを取得する。
【００６１】
次に、制御部２は、取得した共有フォルダのリストの中のいずれか１つのフォルダを有する装置にアクセスし、そのフォルダの属性情報を取得する（Ｓ６２）。そして、取得したフォルダの属性情報が書込み許可であるか否かを判断する（Ｓ６３）。すなわち、取得したリストにあるフォルダにアクセスしてそのフォルダの属性が書込み許可であるか否かを判断する。ここで、フォルダの属性が書込み許可であると判断した場合（Ｓ６３：ＹＥＳ）、その書込み許可になっていると判断したフォルダを液晶表示装置１５に表示する（Ｓ６４）。
【００６２】
そして、制御部２は、Ｓ６４の処理動作を行った場合、又は取得したフォルダの属性情報が書込み許可ではないと判断した場合（Ｓ６３：ＮＯ）、Ｓ６１で取得したリストにある全てのフォルダの属性情報を取得したか否かを判断する（Ｓ６５）。ここで、リストにある全てのフォルダの属性情報を取得していないと判断した場合には（Ｓ６５：ＮＯ）、リストにある残りのフォルダについてＳ６２以降の処理動作を行う。一方、リストにある全てのフォルダの属性情報を取得したと判断した場合には（Ｓ６５：ＹＥＳ）、図６（ａ）に例示したフォルダ一覧画面２５を液晶表示装置１５に表示させて処理を終了する。このように、液晶表示装置１５は、制御部２により書込み許可になっていると判断したフォルダを全て表示する。
【００６３】
図８は、フォルダ一覧画面２５又はフォルダ一覧画面２６が表示された状態で、画像読取装置１において行われる処理動作を示したフローチャートである。制御部２は、フォルダ一覧画面２５又は２６を液晶表示装置１５に表示させて、フォルダの選択を促す情報を報知する（Ｓ８１）。そして、フォルダが選択されたか否かを判断し（Ｓ８２）、フォルダが選択されたと判断した場合（Ｓ８２：ＹＥＳ）、表示されたフォルダの中からいずれかのフォルダの選択を受付ける。
【００６４】
ユーザは、操作部７のカーソルキーを用いてフォルダを指定するか、又は液晶表示装置１５に表示されたフォルダ一覧画面２５に直接指等で触れることにより、フォルダ一覧画面２５に表示されている書込み許可属性のフォルダの中から転送先フォルダとして登録したいフォルダを任意に選択することができる。そのため、コンピュータ名やフォルダ名を操作部７の操作キーを用いて１文字ずつ入力するといった面倒な操作を行う必要がなく、コンピュータ名やフォルダ名の入力ミスを防止することができる。
【００６５】
次に、制御部２は、例えば、選択を受付けたフォルダにアクセスしてそのフォルダを転送先フォルダに設定するために、認証情報が必要か否かを判断する（Ｓ８３）。ここで、認証情報が不用である場合には（Ｓ８３：ＮＯ）、原稿の読取画像ファイルの転送先フォルダの位置情報を指定するショートカット情報として、選択を受付けたフォルダの位置情報を登録する（Ｓ８４）。具体的には、ユーザによって選択されたフォルダの位置情報に基づいて、指定された転送先フォルダへ直接アクセスするためのリンク情報が記載されたファイルを作成してＲＡＭ１２に格納する。
【００６６】
一方、制御部２は、認証情報が必要であると判断した場合（Ｓ８３：ＹＥＳ）、例えば「ユーザＩＤとパスワードを入力して下さい」等のメッセージを液晶表示装置１５に表示させてユーザの認証情報の入力を促す情報を報知する（Ｓ８５）。そして、ユーザの認証情報が入力されたか否かを判断し（Ｓ８６）、ユーザの認証情報が入力されたと判断した場合（Ｓ８６：ＹＥＳ）、Ｓ９の処理動作と同様にして、認証情報を提示して認証手続きを実行する（Ｓ８７）。
【００６７】
そして、制御部２は、認証手続きに成功したか否かを判断し（Ｓ８８）、認証手続きに成功したと判断した場合（Ｓ８８：ＹＥＳ）、Ｓ８４の処理動作を行って原稿の読取画像ファイルの転送先フォルダの位置情報及び該フォルダにアクセスする際に提示する認証情報を指定するショートカット情報として、選択されたフォルダの位置情報及び入力されたユーザの認証情報を登録する（Ｓ８４）。逆に、認証手続きに失敗したと判断した場合には（Ｓ８８：ＮＯ）、認証手続きに失敗した旨の情報及び認証情報の再入力を促す旨の情報を報知して（Ｓ８９）、Ｓ８５以降の処理動作を再度行う。
【００６８】
以上説明したように、転送先フォルダを登録する際に、フォルダの属性情報が書込み許可であるか、又は書込み禁止であるかを判断し、ユーザによって選択されたフォルダの属性が書込み許可になっている場合に限り、そのフォルダが転送先フォルダとして登録される。したがって、原稿の読取画像ファイルを転送する際に、転送先フォルダの属性が書込み禁止になっているためにアクセスエラーが発生し、読取画像ファイルを転送することができないという問題が生じるのを未然に防止することができる。
【００６９】
また、制御部２は、登録されたショートカット情報の選択により、原稿の読取画像ファイルの転送先フォルダの位置情報が指定され、原稿の読取転送開始命令があったとき、指定された位置情報のフォルダに登録時に加えて再度アクセスしてそのフォルダの属性が書込み許可になっていると判断できた場合に限り、原稿の読取動作を開始する。したがって、転送先フォルダのショートカット情報の登録後に、転送先フォルダの属性情報が書込み許可から書込み禁止に変更されたとしても、原稿の読取開始前にアクセスエラーが発生するのを未然に防止できる。また、原稿の無駄な読取動作が行われるのを防止することができる。
【００７０】
なお、原稿読取転送開始命令があった場合の処理動作は、図４のＳ２７で認証手続きに成功したと判断した後にショートカット情報により指定された位置情報のフォルダの属性が書込み許可であるか否かを判断し、書込み許可であればＳ２９に進み、書込み禁止であればその旨を報知するとともに原稿の読取動作を禁止する点を除いて、図４のフローチャートに示す処理動作とほぼ同様に行われるため、ここでの詳細な説明は省略する。但し、ショートカット情報として、ユーザの認証情報を登録する必要がない場合には、Ｓ２７の処理動作は不要である。
【００７１】
また、本実施の形態で示した画像読取装置１の構成は、本発明に係る画像読取装置の一態様にすぎず、本発明の要旨を逸脱しない範囲内で適宜設計変更できることは勿論であり、読取った原稿の画像データをネットワーク上の装置に転送する通信機能を備えた装置であれば、例えば、スキャナやコピー機としても実現可能である。
【産業上の利用可能性】
【００７２】
本発明は、例えば、読取った原稿の画像データをネットワーク上の装置に転送する通信機能を備えたスキャナ、コピー機、ファクシミリ装置、これらの複合機等に適用可能である。
【図面の簡単な説明】
【００７３】
【図１】本発明の実施の形態に係る画像読取装置の構成例を示したブロック図である。
【図２】転送先フォルダを予め登録しておくための所定操作が行われた場合に、液晶表示装置に表示される転送先設定画面を例示した図である。
【図３】転送先フォルダを予め登録しておく場合に、画像読取装置において行われる処理動作を示したフローチャートである。
【図４】原稿の読取転送開始命令があった場合に、画像読取装置において行われる処理動作を示したフローチャートである。
【図５】属性を変更可能なフォルダを予め転送先フォルダとして登録しておく場合に、画像読取装置において行われる処理動作を示したフローチャートである。
【図６】属性が書込み許可となっているネットワーク上のフォルダを表示した液晶表示装置の表示画面を例示した図である。
【図７】属性が書込み許可となっているネットワーク上のフォルダを液晶表示装置に表示させる際に、画像読取装置において行われる処理動作を示したフローチャートである。
【図８】属性が書込み許可になっているフォルダの中からいずれかのフォルダが選択された場合に、画像読取装置において行われる処理動作を示したフローチャートである。
【符号の説明】
【００７４】
１    画像読取装置
２    制御部（ＭＰＵ）
３    原稿読取部
７    操作部
８    表示部
１０    ＬＡＮ Ｉ／Ｆ
１５    液晶表示装置
１８    ＬＡＮ
１９    サーバ
２５、２６    フォルダ一覧画面
【図１】
2006140763.tif 000003
【図２】
2006140763.tif 000004
【図３】
2006140763.tif 000005
【図４】
2006140763.tif 000006
【図５】
2006140763.tif 000007
【図６】
2006140763.tif 000008
【図７】
2006140763.tif 000009
【図８】
2006140763.tif 000010